(57)【要約】      （修正有）【課題】単一のカメラで車両の前方と両側面を撮影して運転者に映像を提供し、記録する車両周辺監視記録装置を提供する。【解決手段】第１支持桿１３の一端に第１固定部１１を設け、第１支持桿の他端に２つのミラー取付座１５を設け、２つのミラー取付座に、鏡面が弧面状を呈し、かつそれぞれ車両の両側面の状況を映すミラー１６を取り付けてなるミラーセット１と、一端が第２固定部２４に接続する第２支持桿２３の他端に接続してミラーセット１に対向する位置に設けられるとともに、撮影レンズ２１と表示装置２２とを具える撮影手段２と、を含んでなる。【選択図】図１
0003197158.tif 000002
【実用新案登録請求の範囲】
【請求項１】
第１支持桿の一端に第１固定部を設け、該第１支持桿の他端に２つのミラー取付座を設け、該２つのミラー取付座に、鏡面が弧面状を呈し、かつそれぞれ車両の両側面の状況を映すミラーを取り付けてなるミラーセットと、
一端が第２固定部に接続する第２支持桿の他端に接続して該ミラーセットに対向する位置に設けるとともに、撮影レンズと表示装置とを具える撮影手段と、を含んでなることを特徴とする車両周辺監視記録装置。
【請求項２】
前記第１支持桿がＹ字状を呈する桿体であることを特徴とする請求項１に記載の車両周辺監視記録装置。
【請求項３】
前記第１固定部が吸盤か、貼着部か、もしくは挟持具であることを特徴とする請求項１に記載の車両周辺監視記録装置。
【請求項４】
前記第２固定部が吸盤か、貼着部か、もしくは挟持具であることを特徴とする請求項１に記載の車両周辺監視記録装置。
【請求項５】
前記ミラーセットの該第１固定部が第１自在継手を介して該第１支持桿の一端に接続し、該２つのミラー取付座が第２自在継手を介して該第１支持桿の他端に接続することを特徴とする請求項１に記載の車両周辺監視記録装置。
【請求項６】
前記撮影手段が第３自在継手を介して該第２支持桿に接続することを特徴とする請求項１に記載の車両周辺監視記録装置。
【考案の詳細な説明】
【技術分野】
【０００１】
この考案は自動車に搭載され、単一のカメラで車両の前方と側面を監視し、記録する車両監視記録装置に関する。
【背景技術】
【０００２】
自動車の車内に取り付ける従来の車両周辺監視記録装置に関して、台湾実用新案Ｍ４１５０７８３号では車両周辺を監視し、記録する装置の構造を開示している。該車両周辺監視記録装置の構造は、図５に開示するように、装置本体３０の前端に支軸を介して凸円状弧面を有する回転端部を回動自在に設け、かつ該回転端部の中央の位置と、装置本体３０の後端とに、超広角レンズを具える前方撮影手段３１と、後方撮影手段３２とをそれぞれ設け、該回転端部によって前方撮影手段３１の角度を調整する。
【０００３】
また、装置本体３０の底面には、高い画面解像度を具える表示装置３３を回動自在に設け、ハッチ式の開閉自在構造とする。表示装置３３は画面を二つ、もしくは二つ以上に分割することができ、撮影した車両の前方と後方との映像を記録し、同時に表示装置３３の分割画面に表示して運転者に車両の前方と後方との状況の理解に供する。前方撮影手段３１を設けた回転端部を回転させることに撮影角度を随時調整でき、表示装置３３を開閉することで車両周辺を撮影した映像を確認することができ、かつ記録することができる。
【０００４】
然しながら、上述する車両周辺監視記録装置は、車両の前方及び後方を撮影するものであって、車両の両側面については撮影できない。よって、使用範囲が限定される。また、車両の両側面をも撮影しようとすれば、別途カメラを追加しなければならない。
【先行技術文献】
【非特許文献】
【０００５】
【非特許文献１】台湾実用新案Ｍ４１５０７８３号公報
【考案の概要】
【考案が解決しようとする課題】
【０００６】
この考案は、単一のカメラで車両の前方と両側面を撮影して運転者に映像を提供し、記録する車両周辺監視記録装置を提供することを課題とする。
【課題を解決するための手段】
【０００７】
そこで、本考案者は従来の車両周辺監視記録装置に見られる欠点に鑑み鋭意研究を重ねた結果、第１支持桿の一端に第１固定部を設け、該第１支持桿の他端に２つのミラー取付座を設け、該２つのミラー取付座に、鏡面が弧面状を呈し、かつそれぞれ車両の両側面の状況を映すミラーを取り付けてなるミラーセットと、及び一端が第２固定部に接続する第２支持桿の他端に接続して該ミラーセットに対向する位置に設けるとともに、撮影レンズと表示装置とを具える撮影手段と、を含んでなる車両周辺監視記録装置によって課題を解決できる点に着眼し、係る知見に基づいて本考案を完成させた。
【０００８】
以下この考案について説明する。請求項１に記載する車両周辺監視記録装置は、第１支持桿の一端に第１固定部を設け、該第１支持桿の他端に２つのミラー取付座を設け、該２つのミラー取付座に、鏡面が弧面状を呈し、かつそれぞれ車両の両側面の状況を映すミラーを取り付けてなるミラーセットと、
一端が第２固定部に接続する第２支持桿の他端に接続して該ミラーセットに対向する位置に設けるとともに、撮影レンズと表示装置とを具える撮影手段と、を含んでなる。
【０００９】
請求項２に記載する車両周辺監視記録装置は、請求項１における第１支持桿がＹ字状を呈する桿体である。
【００１０】
請求項３に記載する車両周辺監視記録装置は、請求項１における第１固定部が吸盤か、貼着部か、もしくは挟持具である。
【００１１】
請求項４に記載する車両周辺監視記録装置は、請求項１における第２固定部が吸盤か、貼着部か、もしくは挟持具である。
【００１２】
請求項５に記載する車両周辺監視記録装置は、請求項１におけるミラーセットの該第１固定部が第１自在継手を介して該第１支持桿の一端に接続し、該２つのミラー取付座が第２自在継手を介して該第１支持桿の他端に接続する。
【００１３】
請求項６に記載する車両周辺監視記録装置は、請求項１における撮影手段が第３自在継手を介して該第２支持桿に接続する。
【図面の簡単な説明】
【００１４】
【図１】この考案による車両周辺監視記録装置の構造を示した説明図である。
【図２】図１に開示する車両周辺監視記録装置を示した斜視図である。
【図３】図１に開示する車両周辺監視記録装置の使用態様を示した説明図である。
【図４】図１に開示する車両周辺監視記録装置の使用態様を示した他の説明図である。
【図５】従来の車両周辺監視記録装置を示した説明図である。
【考案を実施するための形態】
【００１５】
この考案は、単一のカメラで車両の前方と両側面を撮影して運転者に映像を提供し、記録する車両周辺監視記録装置を提供するものであって、第１支持桿の一端に第１固定部を設け、該第１支持桿の他端に２つのミラー取付座を設け、該２つのミラー取付座に、鏡面が弧面状を呈し、かつそれぞれ車両の両側面の状況を映すミラーを取り付けてなるミラーセットと、及び一端が第２固定部に接続する第２支持桿の他端に接続して該ミラーセットに対向する位置に設けるとともに、撮影レンズと表示装置とを具える撮影手段と、を含んでなる車両周辺監視記録装置によってなる。係る車両周辺監視記録装置の構造と特徴を説明するために、具体的な実施例を挙げ、図面を参照にして以下に詳述する。
【実施例】
【００１６】
図１、２に開示するように、この考案による車両周辺監視記録装置は、ミラーセット１と、撮影手段２とを含んでなる。
【００１７】
ミラーセット１は、第１固定部１１を具える。第１固定部１１は、車両のフロントガラスＡに吸着して固定する吸盤であってもよく、又はダッシュボードに粘着して固定する貼着部であってもよく、もしくはバックミラーの支持桿を挟持して固定する挟持具であってもよい。実施例において第１固定部１１をフロントガラスＡに吸着して固定する吸盤とする。
【００１８】
第１固定部１１には、第１自在継手１２を介してＹ字状を呈する桿体である第１支持桿１３の一端を回動自在に接続する。第１支持桿１３の分岐した両端には、それぞれ第２自在継手１４を介して、鏡面が弧面状を呈するミラー１６を取り付けたミラー取付座１５を設け、２つのミラー取付座１５の鏡面が弧面状を呈するミラー１６によって、車両の両側面の状況を映す。
【００１９】
撮影手段２は、第３自在継手２５を介して第２支持桿２３の一端を接続し、第２支持桿２３の他端は第２固定部２４に接続する。第２固定部２４は、第１固定部と同様に車両のフロントガラスＡに吸着して固定する吸盤であってもよく、又はダッシュボードに粘着して固定する貼着部であってもよく、もしくはバックミラーの支持桿を挟持して固定する挟持具であってもよい。実施例において第２固定部２４をフロントガラスＡに吸着して固定する吸盤とする。
【００２０】
また、撮影手段２は、撮影レンズ２１を具えるとともに、撮影レンズ２１を設ける面に対向する面に表示装置２２を設ける。表示装置２２は画面を分割して表示する機能を具え、撮影レンズ２１の撮影した映像を表示する。
【００２１】
また、撮影レンズ２１は車両のフロントガラスＡと、２つのミラー１６に対向して設けられ、２つのミラー１６に映る車両の両側面を撮影し、映像を表示装置２２に表示し、かつ記録する。
【００２２】
上述する車両周辺監視記録装置は、図２、３に開示するように、ミラーセット１の第１固定部１１を車両のフロントガラスＡの適宜な位置に固定し、第１支持桿１３は、第１自在継手１２を利用して分岐した両端の高さを調整し、かつ第２自在継手１４を利用して２つのミラー取付座１５に取り付けたミラー１６の方向をそれぞれ調整し、車両の両側面の状況が映るようにする。
【００２３】
撮影手段２は、第２固定部２４の一端を車両のフロントガラスＡに固定して２つのミラー１６に対向する位置に設ける。また第３自在継手を利用して撮影レンズ２１をフロントガラスＡに向ける。よって、図４に開示するように、撮影手段２は、車両の前方の状況を撮影するとともに、ミラーセット１の２つのミラー１６に映る車両の両側面の状況を同時に撮影し、撮影した車両の前方の状況と両側面の状況に係る映像を表示装置２２に表示して運転者に提供し、かつ該映像を記録することができる。
【００２４】
上述するように、この考案による車両周辺監視記録装置は、単一の撮影レンズで車両の前方と両側面の状況を撮影して映像を表示し、記録することができる。
【符号の説明】
【００２５】
１    ミラーセット
１１  第１固定部
１２  第１自在継手
１３  第１支持桿
１４  第２自在継手
１５  ミラー取付座
１６  ミラー
２    撮影手段
２１  撮影レンズ
２２  表示装置
２３  第２支持桿
２４  第２固定部
２５  第３自在継手
３０  本体
３１  前方撮影手段
３２  後方撮影手段
３３  表示装置
Ａ    フロントガラス
【図１】
0003197158.tif 000003
【図２】
0003197158.tif 000004
【図３】
0003197158.tif 000005
【図４】
0003197158.tif 000006
【図５】
0003197158.tif 000007